(57)【特許請求の範囲】
【請求項１】
ブレーキオイルの温度を取得する温度取得部と、
対象物に対する車両の衝突予測時間を算出する衝突予測時間算出部と、
前記衝突予測時間が閾値以下であるか否かを判断する衝突判断部と、
前記衝突予測時間が閾値以下である場合にブレーキオイルの加圧の開始時期を制御する圧力制御部と、を備え、
前記圧力制御部は、
前記温度が第１温度であるときに前記加圧の開始を第１タイミングとし、
前記温度が第２温度であるときに前記加圧の開始を第２タイミングとし、
前記第１温度は前記第２温度よりも低く、
前記第１タイミングを前記第２タイミングよりも前記衝突判断部の判断時からの経過時間が短い時点に設定する
自動制動制御装置。
【請求項２】
前記圧力制御部は、
所定の温度範囲において前記ブレーキオイルの温度が低いときほど前記加圧の開始を早める状態を備える
請求項１に記載の自動制動制御装置。
【請求項３】
前記温度取得部は、
外気温を前記ブレーキオイルの温度として取得する
請求項１又は２に記載の自動制動制御装置。
【請求項４】
前記ブレーキオイルを加圧する加圧ポンプにて、
モーターへの駆動電流の供給停止時から、前記モーターの回転停止時までの時間が空転時間として設定され、
前記空転時間を取得し、前記空転時間が短いときほど、前記ブレーキオイルの温度を低く推定する温度推定部をさらに備え、
前記温度取得部は、
前記温度推定部の推定結果を前記ブレーキオイルの温度として取得する
請求項１から３のいずれか１つに記載の自動制動制御装置。
【請求項５】
前記圧力制御部は、
前記ブレーキオイルの温度が低いときほど、前記ブレーキオイルの加圧の開始を早める度合いを大きくする
請求項１から４のいずれか１つに記載の自動制動制御装置。
【請求項６】
前記衝突予測時間の経過時点を基準としてブレーキオイルの加圧が開始される時間が開始時間として設定され、
ブレーキオイルの温度が所定の基準温度であるときの開始時間が基準開始時間として設定される場合に、
前記圧力制御部は、
ブレーキオイルの温度と負の相関関係を有する補正係数をブレーキオイルの温度から算出し、前記基準開始時間に対して前記補正係数を乗算することで開始時間を補正する
請求項１から５のいずれか１つに記載の自動制動制御装置。
【発明の詳細な説明】
【技術分野】
【０００１】
本開示の技術は、自車両と他車両等の対象物との衝突が予測されるときに車両の制動を自動で行う自動制動制御装置に関する。
【背景技術】
【０００２】
従来から、例えば特許文献１に記載のように、自車両と他車両や障害物等の対象物との衝突が予測されるときに、運転者のブレーキ操作に関わらずブレーキ装置による車両の制動を自動で行う自動制動制御装置が知られている。自動制動制御装置では、例えば、ＣＣＤカメラと車速センサーとによって、自車両と対象物との相対距離と相対速度とが検出される。そして、相対距離と相対速度とが設定値以下であるときに、ブレーキ装置による車両の制動を自動で行う。そのため、自車両と対象物との衝突を避けること、あるいは、自車両と対象物とが衝突した場合であっても、自車両に対する衝撃を抑えることができる。
【先行技術文献】
【特許文献】
【０００３】
【特許文献１】特開平６−３１２６５５号公報
【発明の概要】
【発明が解決しようとする課題】
【０００４】
ところで、例えば、トラックやバス等のブレーキ装置には、ブレーキオイルを作動流体とする油圧式のブレーキ装置が用いられている。油圧式のブレーキ装置では、ブレーキオイルがブレーキに供給されることによって車両が制動され、そのブレーキオイルの圧力は、ドライバ操作によりマスターシリンダーにて加圧されるか、加圧ポンプや電磁弁の駆動によって供給前に高められる（自動制動制御装置には後者）。
【０００５】
一方で、ブレーキオイルの圧力が高められる速度は、ブレーキオイルの温度に対して負の相関を有する。例えば、ブレーキオイルの温度が低いときほど、加圧ポンプの負荷や電磁弁の負荷は大きくなり、ブレーキオイルの圧力が所定の制御圧に高められるまでの時間は長くなる。結果として、たとえ自動制動制御装置によって上述のような自動での制動が行われたとしても、自車両と対象物との間の距離が所定値に達するまでに、望まれる減速量が得られなくなる。反対に、ブレーキオイルの温度が高いときほど、加圧ポンプの負荷や電磁弁の負荷は小さくなる。こうした場合には、自車両と対象物との間の距離が所定値に達する前に、必要以上に車両が減速してしまう。
【０００６】
本開示の技術は、自車両と対象物との間の距離が自動制動の開始から所定値に達するまでの減速量が望まれる値に対してばらつくことを抑えられる自動制動制御装置を提供することを目的とする。
【課題を解決するための手段】
【０００７】
以下、上述の課題を解決するための手段及びその作用効果について記載する。
本開示における自動制動制御装置の一態様は、ブレーキオイルの温度を取得する温度取得部と、対象物に対する車両の衝突予測時間を算出する衝突予測時間算出部と、前記衝突予測時間が閾値以下であるか否かを判断する衝突判断部と、前記衝突予測時間が閾値以下である場合にブレーキオイルの加圧の開始時期を制御する圧力制御部とを備える。ここで、前記圧力制御部は、前記温度が第１温度であるときに前記加圧の開始を第１タイミングとし、前記温度が第２温度であるときに前記加圧の開始を第２タイミングとし、前記第１温度は前記第２温度よりも低く、前記第１タイミングを前記第２タイミングよりも前記衝突判断部の判断時からの経過時間が短い時点に設定する。
【０００８】
上述したように、加圧ポンプや電磁弁等、ブレーキオイルの加圧に必要とされる構成では、ブレーキオイルの温度が低いときほど負荷が大きく、ブレーキオイルが所定の制御圧に達するまでに必要な時間が長くなる。反対に、ブレーキオイルの温度が高いときほど負荷が小さく、ブレーキオイルが所定の制御圧に達するまでに必要な時間が短くなる。この点で、上記一態様であれば、ブレーキオイルの温度が相対的に低い第１温度では、ブレーキオイルの加圧が相対的に早められ、ブレーキオイルの温度が相対的に高い第２温度では、ブレーキオイルの加圧が相対的に遅らせられる。それゆえに、車両と対象物との間の距離が自動制動の開始から所定値に達するまでの減速量が望まれる値に対してばらつくことが抑えられる。
【０００９】
本開示における自動制動制御装置の他の態様では、前記圧力制御部は、所定の温度範囲において前記ブレーキオイルの温度が低いときほど前記加圧の開始を早める状態を備える。
【００１０】
ブレーキオイルの温度が相互に異なる加圧の状態では、ブレーキオイルの動粘度も少なからず相互に異なる。それゆえに、ブレーキオイルの温度が相互に異なる場合には、減速量も少なからず相互に異なることになる。この点で、上記他の態様によれば、所定の温度範囲における各温度にて、その温度に応じた相互に異なるタイミングで加圧が開始されるから、上記減速量のばらつきの抑制は、より高い精度で実現される。
【００１１】
本開示における自動制動制御装置の他の態様では、前記温度取得部は、外気温を前記ブレーキオイルの温度として取得する。
例えば、バスやトラック等のように、ブレーキ装置に対してエンジンの熱が伝わりにくい程度に、エンジンとブレーキ装置とが離れて配置されている車両は少なくない。こうした車両を含め、一般的に、エンジンの燃料噴射制御や車内の空調制御を目的として、外気温は計測されている。上記他の態様では、温度取得部が、外気温をブレーキオイル温度として取得するため、ブレーキオイルの温度を直接測定する構成を省くことが可能にもなる。
【００１２】
本開示における自動制動制御装置の他の態様では、前記ブレーキオイルを加圧する加圧ポンプにて、モーターへの駆動電流の供給停止時から、前記モーターの回転停止時までの時間が空転時間として設定され、前記空転時間を取得し、前記空転時間が短いときほど、前記ブレーキオイルの温度を低く推定する温度推定部をさらに備える。そして、前記温度取得部は、前記温度推定部の推定結果を前記ブレーキオイルの温度として取得する。
【００１３】
上記他の態様では、ブレーキオイルの供給に利用される構成によってブレーキオイルの温度が推定されるため、ブレーキオイルの温度の推定に必要とされる構造の簡素化を図ることが可能になる。
【００１４】
本開示における自動制動制御装置の他の態様では、前記圧力制御部は、前記ブレーキオイルの温度が低いときほど、前記ブレーキオイルの加圧の開始を早める度合いを大きくする。
【００１５】
ブレーキオイルの動粘度が低下する度合いは、ブレーキオイルの温度の低下に応じて大きくなる。ブレーキオイルの動粘度の変化は、ブレーキオイルを加圧する構成、例えば、加圧ポンプや電磁弁等の各々の部材で負荷を変動させる。結果として、ブレーキオイルの温度が変わるほど、温度変化の度合い以上にブレーキオイルの加圧の度合いは変わる。この点で、上記他の態様では、ブレーキオイルの温度が低いときほど、加圧の開始を早める度合いが大きいため、上記減速量の精度が高められる。
【００１６】
本開示における自動制動制御装置の他の態様では、前記衝突予測時間の経過時点を基準としてブレーキオイルの加圧が開始される時間が開始時間として設定され、ブレーキオイルの温度が所定の基準温度であるときの開始時間が基準開始時間として設定される。この場合に、前記圧力制御部は、ブレーキオイルの温度と負の相関関係を有する補正係数をブレーキオイルの温度から算出し、前記基準開始時間に対して前記補正係数を乗算することで開始時間を補正する。
【００１７】
本開示における自動制動制御装置の他の態様では、加圧を開始する開始時間が、基準開始時間に対して補正係数を乗算することで算出されるから、簡易な方法でありながら、減速量が小さくなることを抑えられる。
【図面の簡単な説明】
【００１８】
【図１】本開示における自動制動制御装置の第１実施形態の備えるブレーキ装置の概略構成を示すブロック図である。
【図２】第１実施形態におけるブレーキ装置の備える油圧ユニットの構成を示す油圧回路図である。
【図３】第１実施形態における自動制動制御装置の電気的構成を示すブロック図である。
【図４】第１実施形態における補正係数算出マップを示す図である。
【図５】第１実施形態における補正係数算出処理の手順を示すフローチャートである。
【図６】第１実施形態における補正開始時間算出処理の手順を示すフローチャートである。
【図７】本開示における自動制動制御装置の第２実施形態における電気的構成を示すブロック図である。
【図８】第２実施形態におけるオイル温度推定マップを示す図である。
【図９】第２実施形態における温度推定処理の手順を示すフローチャートである。
【図１０】第２実施形態における補正係数算出処理の手順を示すフローチャートである。
【発明を実施するための形態】
【００１９】
［第１実施形態］
本開示の自動制動制御装置をバスやトラック等の備える自動制動制御装置として具体化した第１実施形態について、図１から図６を参照して説明する。まず、自動制動制御装置の制御の対象であるブレーキ装置の全体構成について、図１を参照して説明する。
【００２０】
［ブレーキ装置の全体構成］
図１に示されるように、車両Ｖにおける左右の後輪ＲＲ，ＲＬと、車両Ｖにおける左右の前輪ＦＲ，ＦＬとには、運転者によるブレーキペダル１１の操作に応じた制動力を各車輪ＦＲ，ＦＬ，ＲＲ，ＲＬに与えるブレーキ装置１０が接続されている。ブレーキ装置１０は、ブレーキオイルを作動流体とする油圧式のブレーキ装置である。
【００２１】
ブレーキ装置１０は、ブレーキペダル１１と、油圧発生部１２と、油圧ユニット１３と、各車輪ＦＲ，ＦＬ，ＲＲ，ＲＬに取り付けられたブレーキ１４ＦＲ，１４ＦＬ，１４ＲＲ，１４ＲＬとから構成されている。このうち、油圧発生部１２は、マスターシリンダーやブースターから構成されている。また、油圧ユニット１３は、電磁弁や加圧ポンプから構成されている。
【００２２】
運転者によってブレーキペダル１１が踏み込まれると、油圧発生部１２は、ブレーキペダル１１の踏み込み量に応じてブレーキオイルを加圧する。そして、油圧ユニット１３は、油圧発生部１２にて加圧されたブレーキオイルを各ブレーキ１４ＦＲ，１４ＦＬ，１４ＲＲ，１４ＲＬに供給し、各ブレーキ１４ＦＲ，１４ＦＬ，１４ＲＲ，１４ＲＬに制動力を生じさせる。これにより、各車輪ＦＲ，ＦＬ，ＲＲ，ＲＬが制動され、ひいては、車両Ｖが制動される。
【００２３】
［油圧ユニットの構成］
次に、ブレーキ装置１０における油圧ユニット１３のより詳しい構成について、図２を参照して説明する。なお、油圧ユニット１３は、前輪ＦＲ，ＦＬ側のブレーキ１４ＦＲ，１４ＦＬにブレーキオイルを供給する前輪用ユニットと、後輪ＲＲ，ＲＬ側のブレーキ１４ＲＲ，１４ＲＬにブレーキオイルを供給する後輪用ユニットとから構成される。前輪用ユニットと後輪用ユニットとは、ブレーキオイルを供給する対象が異なっているものの、ブレーキオイルの供給に関わる構成は同様である。そのため、以下では、前輪ＦＲ，ＦＬのブレーキ１４ＦＲ，１４ＦＬに対してブレーキオイルを供給する前輪用ユニットについて主に説明する。
【００２４】
図２に示されるように、油圧発生部１２には、油圧ユニット１３の備える油圧回路２０が、連絡通路３１によって接続されている。連絡通路３１の途中には、供給される電流値によって開度が変わる常開型の比例電磁弁３２が取り付けられている。比例電磁弁３２は、各ブレーキ１４ＦＲ，１４ＦＬに供給されるブレーキオイルの圧力を開度に応じて変更する。
【００２５】
連絡通路３１の途中には、比例電磁弁３２と並列に並列通路３３が接続されている。並列通路３３の途中には、油圧発生部１２側から各ブレーキ１４ＦＲ，１４ＦＬ側へのみブレーキオイルを流すチェック弁３４が取り付けられている。チェック弁３４は、油圧発生部１２側の油圧がブレーキ１４ＦＲ，１４ＦＬ側の油圧よりも高くなったときに、ブレーキオイルを油圧発生部１２側からブレーキ１４ＦＲ，１４ＦＬ側に流す。
【００２６】
油圧回路２０では、左輪ＦＬのブレーキ１４ＦＬが備えるホイールシリンダーＷＣａに接続される左輪用通路２１と、右輪ＦＲのブレーキ１４ＦＲが備えるホイールシリンダーＷＣｂに接続される右輪用通路２２とが、連絡通路３１に並列に接続されている。
【００２７】
左輪用通路２１の途中には、インレット弁２３とアウトレット弁２４とが、油圧発生部１２側から順に取り付けられている。インレット弁２３は、常開型の電磁弁であって、電流が供給されることにより、開位置と閉位置との間で切り替わる切り替え弁である。アウトレット弁２４は、常閉型の電磁弁であって、電流が供給されることにより、閉位置と開位置との間で切り替わる切り替え弁である。左輪用通路２１におけるインレット弁２３とアウトレット弁２４との間には、ホイールシリンダーＷＣａに接続される左輪用分岐通路２１ａが接続されている。
【００２８】
右輪用通路２２の途中には、左輪用通路２１と同様、インレット弁２５とアウトレット弁２６とが、油圧発生部１２側から順に取り付けられている。インレット弁２５は、左輪用通路２１のインレット弁２３と同様の構成であり、また、アウトレット弁２６は、左輪用通路２１のアウトレット弁２４と同様の構成である。右輪用通路２２におけるインレット弁２５とアウトレット弁２６との間には、ホイールシリンダーＷＣｂに接続される右輪用分岐通路２２ａが接続されている。
【００２９】
油圧回路２０における各アウトレット弁２４，２６の出口側には、各アウトレット弁２４，２６から流れ出たブレーキオイルを一時的に溜めるリザーバー２７が接続されている。リザーバー２７には、各ホイールシリンダーＷＣａ，ＷＣｂが減圧されるときに、各ホイールシリンダーＷＣａ，ＷＣｂからのブレーキオイルが、各アウトレット弁２４，２６を介して流れ込む。
【００３０】
リザーバー２７には、各インレット弁２３，２５の入口側の通路に接続される吸入通路２８が接続されている。吸入通路２８の途中には、モーターＭによって駆動される加圧ポンプ２９が取り付けられている。また、リザーバー２７には、油圧発生部１２と、連絡通路３１における比例電磁弁３２の入口側とに接続されるリターン通路３５が接続されている。
【００３１】
上記油圧ユニット１３が通常状態であるとき、運転者によってブレーキペダル１１が操作されると、油圧発生部１２にて加圧されたブレーキオイルが、連絡通路３１を通じて油圧回路２０に流れ込む。このとき、比例電磁弁３２は、ブレーキペダル１１の操作量や車両の走行状態等に応じて所定の開度で開く。そして、加圧されたブレーキオイルが、左輪用通路２１、インレット弁２３、及び左輪用分岐通路２１ａを通じてホイールシリンダーＷＣａに供給される。また、同時に、加圧されたブレーキオイルが、右輪用通路２２、インレット弁２５、及び右輪用分岐通路２２ａを通じてホイールシリンダーＷＣｂに供給される。これにより、各ブレーキ１４ＦＲ，１４ＦＬにおいて所定の制動力が生じる。
【００３２】
続いて、運転者によるブレーキペダル１１の操作量が次第に小さくなる、あるいは、操作が終了すると、例えば、各インレット弁２３，２５が閉じられ、且つ、各アウトレット弁２４，２６が開かれることで、各ホイールシリンダーＷＣａ，ＷＣｂのブレーキオイルがリザーバー２７に流れ込む。これにより、各ホイールシリンダーＷＣａ，ＷＣｂが減圧されることで、制動力が生じなくなる。
【００３３】
これに対し、上記油圧ユニット１３が通常状態から自動制動状態に遷移すると、まず、比例電磁弁３２が閉じられる。そして、モーターＭが駆動されることによって、加圧ポンプ２９が、リザーバー２７のブレーキオイルと、リターン通路３５を通じた油圧発生部１２側からのブレーキオイルとを吸引する。加圧ポンプ２９は、吸引したブレーキオイルを吸引前よりも加圧された状態であって、且つ、運転者のブレーキペダル１１の操作によって得られる圧力よりも高い圧力に加圧した状態とする。そして、加圧ポンプ２９は、加圧されたブレーキオイルを各インレット弁２３，２５の入口側に吐出する。これにより、各ホイールシリンダーＷＣａ，ＷＣｂには、ブレーキペダル１１の操作時に比べて高い圧力のブレーキオイルが供給され、ひいては、各ブレーキ１４ＦＲ，１４ＦＬにて、より高い制動力が生じる。
【００３４】
［自動制動制御装置の電気的構成］
車両Ｖに搭載された自動制動制御装置の電気的構成について、図３を参照して説明する。図３に示されるように、自動制動制御装置は、制動制御装置４０とブレーキ制御装置６０とから構成されている。
【００３５】
制動制御装置４０には、制動用入出力部４１と制動制御部４２と制動用記憶部４３とが含まれている。制動用入出力部４１は、制動制御装置４０に入力される入力信号の入力処理と、制動制御装置４０から出力される出力信号の出力処理とを実行する。制動制御部４２は、制動制御装置４０が実行する各種の処理を制御し、制動用記憶部４３は、制動制御部４２の用いる各種の制御プログラムや各種のデータを記憶する。制動制御装置４０には、ミリ波レーダー５１と外気温センサー５２とが接続されている。ミリ波レーダー５１は、自車両の進行方向を走行する他車両や自車両の進行方向における障害物等の対象物と自車両との相対距離を計測し、また、対象物に対する自車両の相対速度を計測する。
【００３６】
ブレーキ制御装置６０には、ブレーキ用入出力部６１とブレーキ制御部６２とブレーキ用記憶部６３と電磁弁駆動部６４とモーター駆動部６５とが含まれている。ブレーキ用入出力部６１は、ブレーキ制御装置６０に入力される入力信号の入力処理と、ブレーキ制御装置６０から出力される出力信号の出力処理とを実行する。ブレーキ制御部６２は、ブレーキ制御装置６０が実行する各種の処理を制御し、ブレーキ用記憶部６３は、ブレーキ制御部６２の用いる各種の制御プログラムや各種のデータを記憶する。ブレーキ制御装置６０には、上述の各電磁弁２３〜２６，３２と、モーターＭとが接続されている。
【００３７】
制動用入出力部４１は、例えば、ミリ波レーダー５１から入力される相対速度、ミリ波レーダー５１から入力される相対距離、及び、外気温センサー５２から入力される外気温の入力処理を実行する。
【００３８】
制動用記憶部４３には、車両と対象物との衝突を予測するためのプログラムが格納されている。制動用記憶部４３には、補正係数の算出に用いられる補正係数算出マップが格納されている。
【００３９】
上記衝突予測時間は、相対距離に対する相対速度の比である。
上記補正係数は、ブレーキオイルの温度と負の相関関係を有する係数であって、基準開始時間を補正するための係数である。補正係数算出マップは、ブレーキオイルの温度と正の相関関係を有する外気温に対して補正係数が関連付けられた２次元マップである。補正係数算出マップは、例えば、外気温とブレーキオイルの温度との比較実験により得られたデータに基づくものであり、測定された外気温に対応する各ブレーキオイルの温度において、減速量の減少を抑えるために必要とされる補正の度合いがマップ化されたものである。
【００４０】
図４に示されるように、例えば、補正係数算出マップでは、外気温が低い、すなわちブレーキオイルの温度が低いときほど、補正係数が大きく、また、ブレーキオイルの温度が低いときほど、補正係数の増加度合いが大きくなる。また、補正係数算出マップでは、ブレーキオイルの動粘度の上昇度合いが顕著になる０℃付近よりも小さいときに、補正係数が１以上の値とされる。
【００４１】
上記衝突予測時間の経過時点を基準としてブレーキオイルの加圧が開始される時間が開始時間として設定される場合に、上記基準開始時間は、外気温、すなわちブレーキオイルの温度が所定の基準温度であるときの開始時間として設定される。この基準開始時間は、衝突の回避や衝撃の緩和を目的として、上述の開始時間のうち、望まれる減速量が所定の相対距離で得られる時間として設定される。なお、基準開始時間は、予め設定された固定値であってもよく、もしくは、衝突予測時間に対して基準開始時間が関連付けられた２次元マップから算出される算出値であってもよく、あるいは、相対速度と相対距離とに対して基準開始時間が関連づけられた３次元マップから算出される算出値でもよい。
【００４２】
制動制御部４２は、制動用入出力部４１の入力する相対距離と、同じく制動用入出力部４１の入力する相対速度とを用いて衝突予測時間を算出する。すなわち、制動制御部４２は、衝突予測時間を算出するための算出式に従い、相対距離の入力値と相対速度の入力値とを算出式に適用して衝突予測時間を算出する。また、制動制御部４２は、衝突予測時間の算出値と上記閾値とを比較し、衝突予測時間の算出値が上記閾値以上か否かを判断する。
【００４３】
制動制御部４２は、制動用入出力部４１の入力する外気温を用いて補正係数を算出する。すなわち、制動制御部４２は、補正係数を算出するための補正係数算出マップを制動用記憶部４３から読み出し、読み出された補正係数算出マップにブレーキオイルの温度の推定値を適用して補正係数を算出する。
【００４４】
制動制御部４２は、補正係数と基準開始時間とを用いて補正開始時間を算出する。すなわち、制動制御部４２は、補正開始時間を算出する算出式に従い、基準開始時間に補正係数を乗算して補正開始時間を算出する。制動制御部４２は、衝突予測時間の算出値が上記閾値以下である場合に、各電磁弁２３〜２６，３２とモーターＭとを通常状態から自動制動状態へ遷移させるための制御指令を生成する。この際に、制動制御部４２は、開始時間が上記補正開始時間になるタイミングで制御指令の出力処理を制動用入出力部４１に実行させる。
【００４５】
なお、本実施形態では、温度取得部、衝突予測時間算出部、衝突判断部、及び圧力制御部が、制動制御部４２によって構成される。
ブレーキ用入出力部６１は、例えば、制動制御装置４０の出力する制御指令の入力処理を実行する。また、ブレーキ用入出力部６１は、例えば、各電磁弁２３〜２６を開弁あるいは閉弁させる開閉指令や比例電磁弁３２を所定の開度で開弁させる開度指令を電磁弁駆動部６４に出力する。また、ブレーキ用入出力部６１は、モーターＭを所定の回転速度で駆動させる速度指令をモーター駆動部６５に出力する。
【００４６】
ブレーキ用記憶部６３には、通常の制動時に各電磁弁２３〜２６，３２を開弁及び閉弁するためのプログラムと、自動制動時に割り込み処理を実行するためのプログラムとが格納されている。
【００４７】
ブレーキ制御部６２は、通常の制動時には、車両Ｖの走行状態やブレーキペダル１１の操作量等から、比例電磁弁３２の開度を算出し、その算出値で比例電磁弁３２を開弁するための開度指令を生成する。また、ブレーキ制御部６２は、同じく車両Ｖの走行状態やブレーキペダル１１の操作量等から、各インレット弁２３，２５及び各アウトレット弁２４，２６の開弁指令や閉弁指令を生成する。
【００４８】
ブレーキ制御部６２は、ブレーキ用入出力部６１の入力する制御指令に応じて割り込み処理である制動処理を実行する。すなわち、ブレーキ制御部６２は、ブレーキ用入出力部６１の入力する制御指令に応じて、比例電磁弁３２を閉状態とする閉弁指令と、各インレット弁２３，２５を開状態とする開弁指令と、各アウトレット弁２４，２６を閉状態とする閉弁指令を生成する。また、ブレーキ制御部６２は、モーターＭを所定の回転速度で駆動するための速度指令を生成する。
【００４９】
電磁弁駆動部６４は、ブレーキ用入出力部６１の入力する開弁指令に基づいて、比例電磁弁３２を所定の開度で開弁させるための駆動信号、あるいは、比例電磁弁３２を閉弁させるための駆動信号を生成する。また、電磁弁駆動部６４は、ブレーキ用入出力部６１の入力する開弁指令や閉弁指令に基づいて、各インレット弁２３，２５及び各アウトレット弁２４，２６を開弁させるための駆動信号、あるいは、閉弁させるための駆動信号を生成する。
【００５０】
モーター駆動部６５は、ブレーキ用入出力部６１の入力する速度指令に基づいて、モーターＭを所定の回転数で駆動させるための駆動信号、あるいは、モーターＭの駆動を停止させるための駆動停止信号を生成する。
【００５１】
ところで、上述のブレーキ装置１０にて作動流体として用いられるブレーキオイルの動粘度は、ブレーキオイルの温度に対して負の相関を有している。そのため、ブレーキオイルの温度が低いときほど、加圧ポンプ２９ではブレーキオイルを吸入する際の負荷が大きくなり、各電磁弁２３〜２６，３２では開弁動作や閉弁動作を行うときの負荷が大きくなる。結果として、ブレーキオイルを同一の圧力に昇圧する場合、相対的にブレーキオイルの温度が低いときには、相対的にブレーキオイルの温度が高いときに比べて、昇圧に必要な時間が長くなってしまう。
【００５２】
この点で、本実施形態では、補正係数算出マップに基づいて、まず、補正係数が算出される。次いで、補正係数が基準開始時間に乗算されることで補正開始時間が算出される。こうした補正開始時間であれば、ブレーキオイルの温度が相対的に低いときには、基準開始時間よりも開始時間が長くなるため、ブレーキオイルの加圧の開始タイミングが基準開始時間よりも早められる。反対に、ブレーキオイルの温度が相対的に高いときには、基準開始時間よりも開始時間が短くなるため、ブレーキオイルの加圧の開始タイミングが基準開始時間よりも遅らせられる。これにより、ブレーキオイルの温度が相対的に低い場合には、ブレーキオイルの加圧が早められるため、車両Ｖと対象物との間の距離が所定値に達するまでに、減速量が不足することが抑えられる。また、ブレーキオイルの温度が相対的に高い場合には、ブレーキオイルの加圧が遅らせられるため、車両Ｖと対象物との間の距離が所定値に達するまでに、減速量が過大になることが抑えられる。
【００５３】
しかも、上述の補正開始時間は、基準開始時間に対して補正係数を乗算することのみによって算出されるため、簡易な方法でありながら、減速量が小さくなることを抑えられる。また、補正係数は、ブレーキオイルの動粘度の上昇度合いが顕著になる０℃付近よりも小さいときに、１以上の値とされる。そのため、ブレーキオイルの動粘度が大きい範囲で衝突予測時間がより長い時点でブレーキオイルの加圧が開始されるため、開始時間を早めることの効果が顕著になる。
【００５４】
ここで、ブレーキオイルの温度が低くなることに伴って、ブレーキオイルの動粘度が高くなると、加圧ポンプ２９の負荷や各電磁弁２３〜２６，３２の負荷が大きくなる。このように、ブレーキオイルにおいて動粘度が大きくなることは、ブレーキオイルの加圧に関わる複数の部材に対して影響する。そのため、動粘度が大きいときほど、動粘度が大きくなる度合い以上にブレーキオイルは加圧されにくくなる。この点、上記の補正係数は、ブレーキオイルの温度が低いときほど、大きい値に設定されることに加え、ブレーキオイルの温度が低いときほど、温度の低下に対する補正係数の増加度合いが大きくされる。それゆえに、ブレーキオイルがより低い温度であっても減速量が小さくなることを抑えられることから、ブレーキオイルの温度にかかわらず、自動制動によって得られる減速量が小さくなることを抑えられる。
【００５５】
［自動制動制御装置の作用］
自動制動制御装置で行われる動作の一つである自動制動処理について、図５及び図６を参照して説明する。このうち、図５には、自動制動処理を構成する補正係数算出処理の手順が示され、他方、図６には、同じく自動制動処理を構成する補正開始時間算出処理の手順が示されている。なお、これらの処理は、制動制御装置４０によって行われる。また、これら処理のうち、補正係数算出処理は、ディーゼルエンジンの始動時に実行され、他方、補正開始時間算出処理は、所定期間毎に実行される。
【００５６】
図５に示されるように、補正係数算出処理では、まず、制動制御部４２が、外気温を制動用入出力部４１から取得する（ステップＳ１１）。そして、制動制御部４２は、外気温を補正係数算出マップに適用することによって、補正係数を算出する（ステップＳ１２）。制動制御部４２は、算出した補正係数を制動用記憶部４３に記憶させる（ステップＳ１３）。
【００５７】
バスやトラック等の大型自動車では、走行時に熱を発するエンジンと、ブレーキ装置１０とが、ブレーキ装置１０に対してエンジンの熱が伝わりにくい程度に離れて配置されている。そのため、エンジンとブレーキ装置との距離がより小さい普通自動車と比べて、エンジンの始動時と、始動時から所定時間が経過した後とでは、ブレーキ装置１０中を流れるブレーキオイルの温度の上昇度合いが小さい。しかも、大型自動車のブレーキ装置１０は、外気にさらされるため、ブレーキオイルの温度は、エンジンの始動時と、始動から所定時間が経過した後とで略同じ温度になりやすい。それゆえに、ブレーキオイルの温度の推定をエンジンの始動時に行ったとしても、自動制動が行われるときのブレーキオイルの温度との差が、普通自動車と比べて小さくなる。結果として、エンジンの始動時におけるブレーキオイルの温度に基づいて自動制動を行ったとしても、自動制動時におけるブレーキオイルの温度に大凡基づいた処理を行うことができる。
【００５８】
また、補正開始時間算出処理では、図６に示されるように、制動制御部４２が、相対速度と相対距離とを制動用入出力部４１から取得した後（ステップＳ２１）、相対速度と相対距離とを衝突予測時間の算出式に適用することによって、衝突予測時間を算出する（ステップＳ２２）。そして、制動制御部４２は、衝突予測時間と閾値とを比べ、衝突予想時間が閾値以下であるか否かを判断する（ステップＳ２３）。衝突予測時間が閾値よりも大きいときには（ステップＳ２３：ＮＯ）、制動制御部４２は、補正開始時間算出処理を一旦終了する。
【００５９】
一方、衝突予測時間が閾値以下であるときには（ステップＳ２３：ＹＥＳ）、制動制御部４２は、経過時間の測定を開始する（ステップＳ２４）。次いで、制動制御部４２は、上述の補正係数と基準開始時間とを制動用記憶部４３から取得した後、補正開始時間を算出するための算出式に補正係数と基準開始時間とを適用して補正開始時間を算出する（ステップＳ２５）。そして、制動制御部４２は、ステップＳ２２にて算出した衝突予測時間から経過時間を引いた残り時間と補正開始時間とを比べる（ステップＳ２６）。残り時間が補正開始時間よりも長いときには（ステップＳ２６：ＮＯ）、制動制御部４２は、残り時間が補正開始時間以下になるまで待機する。一方、残り時間が補正開始時間以下になると（ステップＳ２６：ＹＥＳ）、制動制御部４２は、制御指令を生成し、制動用入出力部４１を介して制御指令をブレーキ制御装置６０に出力する（ステップＳ２７）。そして、制動制御部４２は、経過時間をリセットした後（ステップＳ２８）、補正開始時間算出処理を一旦終了する。
【００６０】
なお、ブレーキ制御装置６０に制御指令が入力されると、ブレーキ制御装置６０では、電磁弁駆動部６４が、閉弁指令に基づく駆動信号を生成して比例電磁弁３２を閉弁させ、開弁指令に基づく駆動信号を生成して各インレット弁２３，２５を開弁させ、閉弁指令に基づく駆動信号を生成して各アウトレット弁２４，２６を閉弁させる。また、モーター駆動部６５が、速度指令に基づく駆動信号を生成し、モーターＭに出力する。これにより、モーターＭが駆動されることによって、加圧ポンプ２９によるブレーキオイルの加圧が開始される。そして、加圧されたブレーキオイルが、各ホイールシリンダーＷＣａ，ＷＣｂに供給されることによって、各ブレーキ１４ＦＲ，１４ＦＬによる車輪ＦＲ，ＦＬの制動が行われる。
【００６１】
以上説明したように、本開示の自動制動制御装置における第１実施形態によれば、以下に列挙する効果を得ることができる。
（１）ブレーキオイルの温度が相対的に低い場合には、ブレーキオイルの加圧が早められ、また、ブレーキオイルの温度が相対的に高い場合には、ブレーキオイルの加圧が遅らせられる。それゆえに、車両Ｖと対象物との間の距離が自動制動の開始から所定値に達するまでの減速量が望まれる値に対してばらつくことが抑えられる。
【００６２】
（２）補正係数算出マップに適用可能な温度範囲において、ブレーキオイルの温度が低いときほど加圧の開始が早められるから、上記の温度範囲の全てにおいて上記（１）に記載の効果が得られる。
【００６３】
（３）ブレーキオイルの温度が相互に異なる加圧の状態では、上述の減速量も少なからず相互に異なることになる。上記の実施形態であれば、所定の温度範囲における各温度では、その温度に応じた相互に異なるタイミングで加圧が開始されるため、上記減速量のばらつきの抑制は、より高い精度で実現される。
【００６４】
（４）ブレーキオイルの温度を直接測定することなく、外気温を用いて補正係数を算出しているため、ブレーキオイルの温度を直接測定する構成を省くことが可能にもなる。あるいは、ブレーキオイルの温度を直接測定する構成が含まれる場合には、ブレーキオイルの温度の精度や信頼性を高めることが可能にもなる。
【００６５】
（５）ブレーキオイルの温度が、オイルの温度以外の他の温度に基づき推定されるため、オイルの動粘度等の温度以外の情報から推定される構成と比べて、推定されるブレーキオイルの温度が温度以外の要因によって影響されにくくなる。
【００６６】
（６）補正係数は、ブレーキオイルの温度が低いときほど、大きい値に設定されることに加え、ブレーキオイルの温度が低いときほど、温度の低下に対する補正係数の増加度合いが大きくされる。それゆえに、ブレーキオイルがより低い温度であっても減速量が小さくなることを抑えられることから、ブレーキオイルの温度にかかわらず、自動制動によって得られる減速量が小さくなることを抑えられる。
【００６７】
（７）補正開始時間は、基準開始時間に対して補正係数を乗算することのみによって算出されるため、簡易な方法でありながら、減速量が小さくなることを抑えられる。
［第２実施形態］
本開示の自動制動制御装置を大型自動車の備える自動制動制御装置として具体化した第２実施形態について、図７から図１０を参照して説明する。なお、第２実施形態は、上述の第１実施形態と比べて、ブレーキオイルの温度を推定するための構成を備える点が異なっている。そのため、以下では、この相違点について詳しく述べることとし、その他の構成については、第１実施形態での説明で代えることとする。
【００６８】
［自動制動制御装置の電気的構成］
車両Ｖに搭載されている自動制動制御装置の電気的構成について、図７を参照して説明する。
【００６９】
図７に示されるように、第１実施形態と同様、制動制御装置４０には、ミリ波レーダー５１と、ブレーキ制御装置６０とが接続されている。ブレーキ制御装置６０には、各電磁弁２３〜２６，３２と、モーターＭとに加えて、モーターＭの回転数を検出するエンコーダーＥが接続されている。
【００７０】
制動用入出力部４１は、第１実施形態と同様、ミリ波レーダー５１から入力される相対速度やミリ波レーダー５１から入力される相対距離の入力処理を実行する。また、制動用入出力部４１は、ブレーキ制御装置６０から出力されるブレーキオイルの温度における推定値の入力処理を実行する。なお、ブレーキオイルの温度における推定値とは、加圧ポンプ２９を駆動するモーターＭの空転時間から推定される。また、空転時間とは、所定回転数だけ回転したモーターＭへの駆動電流の供給が停止された後に、モーターＭの回転速度が「０」になるまでの時間である。
【００７１】
制動用記憶部４３には、上記第１実施形態と同様、補正係数の算出に用いられる補正係数算出マップが格納されている。なお、補正係数算出マップは、ブレーキオイルの温度の推定値に対して補正係数が関連付けされた２次元マップである。この補正係数算出マップは、第１実施形態における補正係数算出マップと比べて、補正係数に関連付けられたパラメータが異なってはいる。しかしながら、図４に示される補正係数マップと同様の傾向を有している。つまり、ブレーキオイルの温度が低いときほど、補正係数が大きい値に設定され、ブレーキオイルの温度が低いときほど、補正係数の増加度合いが大きくなる。また、補正係数算出マップでは、ブレーキオイルの動粘度の上昇度合いが顕著になる０℃付近よりも小さいときに、補正係数が１以上の値とされる。
【００７２】
制動制御部４２は、第１実施形態と同様、衝突予測時間と補正開始時間とを算出する。加えて、制動制御部４２は、制動用入出力部４１の入力するブレーキオイルの温度における推定値を用いて補正係数を算出する。すなわち、制動制御部４２は、補正係数を算出するための補正係数算出マップを制動用記憶部４３から読み出し、読み出された補正係数算出マップにブレーキオイルの温度の推定値を適用して補正係数を算出する。
【００７３】
ブレーキ制御装置６０には、ブレーキ用入出力部６１、ブレーキ制御部６２、ブレーキ用記憶部６３、電磁弁駆動部６４、及びモーター駆動部６５に加えて、空転時間計測部６６が含まれている。
【００７４】
ブレーキ用入出力部６１は、第１実施形態と同様、制御指令の入力処理、開度指令、開弁指令、閉弁指令、速度指令等の出力処理を実行する。加えて、ブレーキ用入出力部６１が、エンコーダーＥの出力するモーターＭの回転数の入力処理を実行する。また、ブレーキ用入出力部６１は、ブレーキオイルの温度における推定値の制動制御装置４０に対する出力処理を行う。
【００７５】
ブレーキ用記憶部６３には、第１実施形態と同様、通常の制動時に各電磁弁２３〜２６，３２を開弁及び閉弁するためのプログラムと、自動制動時に割り込み処理を実行するためのプログラムとが格納されている。加えて、ブレーキ用記憶部６３には、ブレーキオイルの温度を推定するためにモーターＭを回転させるためのプログラムが格納されている。
【００７６】
ブレーキ用記憶部６３には、モーターＭの空転時間からのブレーキオイルの温度の推定に用いられるオイル温度推定マップが格納されている。オイル温度推定マップは、上記空転時間に対してブレーキオイルの温度が関連付けられた２次元マップである。
【００７７】
なお、モーターＭの空転時間は、例えば以下のようにして測定される。つまり、モーターＭが駆動電流の供給によって所定の回転数、例えば数百回転だけ回転された後、モーターＭへの駆動電流の供給が停止される。そして、駆動電流の供給が停止されてから、モーターＭの回転が停止、すなわち回転速度が「０」になるまでの時間が空転時間として測定される。
【００７８】
ここで、上述のように、ブレーキオイルの動粘度は、ブレーキオイルの温度が低いときほど大きくなるため、ブレーキオイルの温度が低いときほど、モーターＭが回転するときの負荷が大きくなる。それゆえに、ブレーキオイルの温度が低いときほど、モーターＭに対する駆動電流の出力が停止されてから、モーターＭの回転が停止するまでの時間が短くなる。他方、ブレーキオイルの温度が高いときほど、モーターＭに対する駆動電流の出力が停止されてから、モーターＭの回転が停止するまでの時間が長くなる。しかも、ブレーキオイルの温度に対する動粘度の変化度合いは一定であるため、ブレーキオイルの温度に対するモーターＭの空転時間の変化度合いも一定になる。
【００７９】
そこで、図８に示されるように、例えば、オイル温度推定マップでは、モーターＭの空転時間が短いときほど、ブレーキオイルの温度が低く推定され、また、空転時間に対するブレーキオイルの温度の変化の度合いは、一定である。なお、オイル温度推定マップは、例えば、モーターＭの空転時間とブレーキオイルの温度との比較実験により得られたデータから作成されたものである。
【００８０】
ブレーキ制御部６２は、通常の制動時と自動制動時との両方において、第１実施形態と同様の処理を実行する。また、ブレーキ制御部６２は、ブレーキオイルの温度を推定するときには、モーターＭを駆動するための駆動指令と、モーターＭの駆動を停止させるための駆動停止指令とを生成する。また、ブレーキ制御部６２は、モーターＭに対する駆動停止指令に基づく駆動電流の出力停止時から、空転時間計測部６６に計時を開始させるための計時指令を生成する。また、ブレーキ制御部６２は、モーターＭの回転速度が「０」になったときに、空転時間計測部６６に計時を停止させるための計時停止指令を生成する。空転時間計測部６６は、計時指令と計時停止指令とに応じて、モーターＭの回転速度が所定値から「０」になるまでの時間を計測する。
【００８１】
加えて、ブレーキ制御部６２は、ブレーキ用入出力部６１の入力するモーターＭの回転数を用いて、モーターＭの回転速度を算出する。
さらに、ブレーキ制御部６２は、ブレーキ用入出力部６１の入力する空転時間を用いてブレーキオイルの温度を推定する。この際に、ブレーキ制御部６２は、ブレーキ用記憶部６３からオイル温度推定マップを読み出し、ブレーキ用入出力部６１の入力するモーターＭの空転時間をオイル温度推定マップに適用してオイル温度を推定する。
【００８２】
上述のように、ブレーキ装置１０にて作動流体として用いられるブレーキオイルの動粘度は、ブレーキオイルの温度に対して負の相関を有している。そのため、ブレーキオイルの温度が低いときほど、油圧ユニット１３を構成している加圧ポンプ２９がブレーキオイルを吸入する際の抵抗が大きくなる。これにより、加圧ポンプ２９を駆動するモーターＭでは、駆動電流の供給が停止されてから回転速度が「０」になるまでの時間が、ブレーキオイルの温度が低いときほど短くなる。そこで、本実施形態では、モーターＭを所定回転数だけ回転させた後、モーターＭに対する駆動電流の出力停止時からモーターＭの回転速度が「０」に達するまでの時間である空転時間を計測し、この空転時間からブレーキオイルの温度を推定する。
【００８３】
なお、ブレーキオイルの温度を推定するためにモーターＭが回転するときには、比例電磁弁３２と、各インレット弁２３，２５が開かれ、且つ、各アウトレット弁２４，２６が閉じられた状態とされる。つまり、加圧ポンプ２９から吐出されるブレーキオイルが、吸入通路２８、連絡通路３１、リターン通路３５、及びリザーバー２７を通って加圧ポンプ２９の吸入側に環流され、加圧されたブレーキオイルが各ホイールシリンダーＷＣａ，ＷＣｂに流れ込まない経路が形成される。
【００８４】
こうした経路であれば、加圧されたブレーキオイルは、ホイールシリンダーＷＣａ，ＷＣｂに流れ込まないため、上記空転時間の計測直後に行われる車両Ｖの走行に対して、加圧されたブレーキオイルが影響することを抑えられる。
【００８５】
そして、空転時間計測部６６によって計時された空転時間がオイル温度推定マップに適用されることで、ブレーキオイルの温度が推定される。これにより、空転時間が長いときほど、ブレーキオイルの温度が高く推定され、他方、空転時間が短いときほど、ブレーキオイルの温度が低く推定される。
【００８６】
このように、本実施形態では、モーターＭの空転時間を用いてブレーキオイルの温度を推定している。そのため、ブレーキオイルの温度の推定に用いる温度情報を検出するためのセンサーが不要になるため、ブレーキオイルの温度の推定に関わる構成を簡単にすることができる。また、センサーが不要であるために、センサーの故障によってブレーキオイルの温度が推定できないことや、センサーの取り付け位置による検出温度の差により、推定されるブレーキ温度に差が生じることをなくすことができる。
【００８７】
そして、推定されたブレーキオイルの温度が、第１実施形態と同様の補正係数算出マップに適用されることによって補正係数が算出され、基準開始時間が補正係数によって補正されることで補正開始時間が算出される。
【００８８】
なお、本実施形態では、衝突判断部、及び圧力制御部が、制動制御部４２によって構成される。また、温度取得部が、制動制御部４２によって構成されている。そして、温度推定部が、ブレーキ制御部６２によって構成される。
【００８９】
［自動制動制御装置の作用］
自動制動制御装置の作用として、自動制動制御装置で行われる動作の一つである自動制動処理について、図９及び図１０を参照して説明する。このうち、図９には、自動制動処理を構成する温度推定処理の手順が示され、図１０には、同じく自動制動処置を構成する補正係数算出処理の手順が示されている。なお、温度推定処理は、ブレーキ制御装置６０のブレーキ制御部６２によって行われ、他方、補正係数算出処理は、制動制御装置４０の制動制御部４２によって行われる。また、温度推定処理と補正係数算出処理は、第１実施形態と同様、ディーゼルエンジンの始動時に実行される。
【００９０】
図９に示されるように、温度推定処理では、まず、ブレーキ制御部６２が、モーターＭを駆動させるための駆動指令を生成し、ブレーキ用入出力部６１を介してモーター駆動部６５に駆動指令を出力する。これにより、モーター駆動部６５が駆動指令に基づく駆動電流を生成して出力することで、モーターＭの駆動が開始される。そして、モーターＭが所定の回転数、例えば、数百回転だけ回転されると、ブレーキ制御部６２が、モーターＭの駆動を停止させるための駆動停止指令を生成し、ブレーキ用入出力部６１を介してモーター駆動部６５に駆動停止指令を出力する。これにより、モーター駆動部６５が駆動停止指令に基づき駆動電流の出力を停止することで、モーターＭの駆動が停止される（ステップＳ３１）。この際、油圧ユニット１３では、比例電磁弁３２、及び各インレット弁２３，２５が開かれ、且つ、各アウトレット弁２４，２６が閉じられている。
【００９１】
そして、ブレーキ制御部６２が、空転時間の計時を開始させるための計時指令を生成し、ブレーキ用入出力部６１を介して空転時間計測部６６に計時指令を出力する。これにより、モーターＭへの駆動電流の供給が停止されたときからの時間の計測が開始される。ついで、ブレーキ制御部６２は、エンコーダーＥの検出する回転数から算出されるモーターＭの回転速度が「０」になると、空転時間の計測を停止させるための計時停止指令を生成し、ブレーキ用入出力部６１を介して空転時間計測部６６に計時停止指令を出力する。これにより、モーターＭの空転時間の計時が停止される。このようにして、空転時間計測部６６が、モーターＭの空転時間を計測する（ステップＳ３２）。
【００９２】
次いで、空転時間計測部６６が、モーターＭの空転時間をブレーキ用入出力部６１に出力し、ブレーキ制御部６２が、空転時間計測部６６の出力した空転時間をブレーキ用入出力部６１から取得する。そして、ブレーキ制御部６２は、空転時間をオイル温度推定マップに適用することによって、ブレーキオイルの温度を推定する（ステップＳ３３）。次いで、ブレーキ制御部６２は、ブレーキオイルの温度の推定値をブレーキ用入出力部６１に出力した後、ブレーキ用入出力部６１が制動制御装置４０に対してブレーキオイルの温度の推定値を出力する（ステップＳ３４）。
【００９３】
そして、補正係数算出処理では、図１０に示されるように、制動制御部４２が、ブレーキ制御装置６０の出力したブレーキオイルの温度の推定値を制動用入出力部４１から取得する（ステップＳ４１）。制動制御部４２は、ブレーキオイルの温度の推定値を補正係数算出マップに適用することによって、補正係数を算出する（ステップＳ４２）。制動制御部４２は、算出した補正係数を制動用入出力部４１に出力した後、制動用入出力部４１が制動用記憶部４３に対して補正係数を出力する。これにより、補正係数が、制動用記憶部４３に記憶される（ステップＳ４３）。
【００９４】
その後、制動制御部４２では、第１実施形態と同様の補正開始時間算出処理が実行されることによって補正開始時間が算出される。そして、補正開始時間にブレーキ装置１０が駆動されることによって、車両Ｖの制動が行われる。
【００９５】
以上説明したように、本開示の自動制動制御装置における第２実施形態によれば、上述の第１実施形態によって得られる効果に加えて、以下に列挙する効果を得ることができる。
【００９６】
（８）モーターＭの空転時間を用いてブレーキオイルの温度を推定しているため、ブレーキオイルの温度の推定に用いる温度情報を検出するためのセンサーが不要になる。そのため、ブレーキオイルの温度の推定に関わる構成を簡単にすることができる。
【００９７】
（９）温度情報を得るためのセンサーが不要であることから、センサーの故障によってブレーキオイルの温度が推定できないことや、センサーの取り付け位置による検出温度の差により、推定されるブレーキ温度に差が生じることをなくすことができる。
【００９８】
なお、上述の第１実施形態及び第２実施形態は、以下のように適宜変更して実施することもできる。
・第１実施形態における自動制動制御装置では、エンジンの吸気量を推定する温度センサーから外気温が取得されてもよいし、車々間通信によって他の車両から外気温が取得されてもよい。
【００９９】
・第１実施形態における自動制動制御装置では、ブレーキオイルの温度として外気温が用いられるが、ブレーキオイルの温度の推定には、外気温以外の温度が用いられてもよい。例えば、油圧発生部１２や油圧ユニット１３に取り付けられた油温センサーの計測値がブレーキオイルの温度として用いられてもよい。要は、ブレーキオイルの温度と対応付けることの可能な温度であって、ブレーキオイルの温度特性と同等の温度特性を有していることが好ましい。なお、ブレーキオイルの温度と、ブレーキオイルの温度として用いられる他の温度とにおける相関関係を加味して上記補正係数算出マップが予め作成される以上、ブレーキオイルと他の温度との温度特性は異なってもよい。例えば、ブレーキオイルの温度と他の温度との間には、ブレーキオイルの温度が低いときほど、他の温度が高くなるような関係が成り立っていてもよい。
【０１００】
・第１実施形態では、外気温が適用される補正係数算出マップが用いられるが、外気温からブレーキオイルの温度を推定した後、この推定値が適用される補正係数算出マップを用いて補正係数を算出する構成でもよい。なお、こうした構成では、外気温以外の他の温度を用いて補正係数を算出する場合であっても適用することができる。
【０１０１】
・第１実施形態における自動制動制御装置では、ブレーキオイルの温度の推定がエンジンの始動時に実行されるが、ブレーキオイルの温度の推定は、車両Ｖの停止時、あるいは、自動制動処理時に実行されてもよい。このうち、ブレーキオイルの温度の推定が自動制動処理時に実行される場合には、例えば、上記ステップＳ２３で用いられる閾値が第１閾値として設定され、第１閾値よりも大きい閾値が第２閾値として設定される。そして、ステップＳ２１に先立って、別途、衝突予測時間が算出され、その衝突予測時間が第２閾値以下になるときに、補正係数の算出処理が実行される構成が好ましい。このように、自動制動処理時に補正係数を算出する構成によれば、補正係数には、その時々のブレーキオイルの温度に相関を有した外気温の温度が反映されやすくなる。それゆえに、他のタイミングで補正係数を算出する構成と比べて、推定されたブレーキオイルの温度と、実際のブレーキオイルの温度との差を小さくすることができる。
【０１０２】
・第２実施形態における自動制動制御装置では、モーターＭの空転時間に限らず、モーターＭが駆動された状態から駆動が停止された状態に変更されたときに発生する回生電圧がブレーキオイルの温度の推定に用いられてもよい。
【０１０３】
・第２実施形態における自動制動制御装置では、モーターＭの駆動によってブレーキオイルの温度の推定が行われるが、各電磁弁２３〜２６，３２の開動作や閉動作に必要な時間からブレーキオイルの温度が推定されてもよい。
【０１０４】
・第２実施形態における自動制動制御装置では、ブレーキオイルの温度の推定がエンジンの始動時に実行されるが、ブレーキオイルの温度の推定は、車両Ｖの停止時、あるいは、自動制動処理時に実行されてもよい。このうち、ブレーキオイルの温度が自動制動処理時に実行される場合には、その時々のブレーキオイルの温度が補正係数に反映されやすくなる。それゆえに、他のタイミングでブレーキオイルの温度を推定する構成と比べて、推定されたブレーキオイルの温度と、実際のブレーキオイルの温度との差を小さくすることができる。
【０１０５】
なお、ブレーキオイルの温度の推定が自動制動処理時に実行される場合には、例えば、上記ステップＳ２３で用いられる閾値が第１閾値として設定され、第１閾値よりも大きい閾値が第２閾値として設定される。そして、ステップＳ２１に先立って、別途、衝突予測時間が算出され、その衝突予測時間が第２閾値以下になるときに、補正係数の算出処理が実行される構成が好ましい。
【０１０６】
このとき、衝突予測時間が第２閾値よりも大きいときには、比例電磁弁３２、及び各インレット弁２３，２５は開かれた状態であり、且つ、各アウトレット弁２４，２６は閉じられた状態である。そして、衝突予測時間が第２閾値以下になると、各電磁弁２３〜２６，３２は同一の状態に維持され、モーターＭの駆動が行われる。なお、モーターＭを回転させる時間は、数百ミリ秒であるため、モーターＭの駆動によるブレーキオイルの温度の推定が行われたとしても、自動制動が顕著に遅れることはない。次いで、自動制動による制動、あるいは、運転者によるブレーキペダル１１の操作に応じた制動によって、各電磁弁の状態が制御される。
【０１０７】
このように、ブレーキオイルの温度の推定が自動制動処理時に行われたとしても、モーターＭの駆動には各電磁弁２３〜２６，３２の開動作及び閉動作が伴わないため、各電磁弁２３〜２６，３２の動作が伴う構成と比べて、自動制動処理にかかる時間が長くなることを抑えられる。
【０１０８】
・外気温に基づいてブレーキオイルの温度を推定する構成と、モーターＭや電磁弁２３〜２６，３２等の駆動における負荷から温度を推定する構成との両方を備えてもよい。こうした構成によれば、一方の構成にて温度が推定されない場合であっても、他方の構成にて温度を推定することが可能であるから、温度の推定そのものの信頼性を高めることが可能でもある。
【０１０９】
・補正係数は、ブレーキオイルの温度に対して変動する変動値であるが、ブレーキオイルの温度が所定範囲の一部分であるときに、補正係数は一定値であってもよい。例えば、図４において、ブレーキオイルの温度が０℃以上であるときに、補正係数は一定値であってもよい。こうした構成であれば、ブレーキオイルの温度が０℃以上であるときに、補正係数算出マップが読み出される処理、補正係数算出マップから補正係数が算出される処理、これらを省略することが可能である。
【０１１０】
・ブレーキオイルの温度範囲が複数の温度範囲に分割され、分割された温度範囲では共通の補正係数が用いられてもよい。こうした補正係数であっても、分割された温度範囲の単位では、ブレーキオイルの温度が低いときほど、補正開始時間を長くすることは可能である。
【０１１１】
・補正開始時間は、基準開始時間に補正係数の加算された加算値でもよいし、基準開始時間から補正係数の減算された減算値でもよいし、基準開始時間が補正係数で除算された除算値でもよい。さらには、補正開始時間は、これらの組み合わせであってもよい。
【０１１２】
要は、衝突予測時間が閾値以下であるか否かの判断が判断時に実行され、ブレーキオイルの温度が第１温度であるときに第１タイミングで加圧が開始される第１状態と、ブレーキオイルの温度が第２温度であるときに第２タイミングで加圧を開始する第２状態とを自動制動制御装置が備える。そして、第１温度は第２温度より低く、第１タイミングは第２タイミングより判断時に近くなるように、自動制動制御装置では補正係数が算出されればよい。
【０１１３】
・ブレーキオイルの温度に対して補正開始時間が関連付けられた補正開始時間マップが用いられ、基準開始時間や補正係数が用いられることなく、ブレーキオイルの温度が補正開始時間マップに適用されることによって補正開始時間が算出されてもよい。
【０１１４】
要は、衝突予測時間が閾値以下であるか否かの判断が判断時に実行され、ブレーキオイルの温度が第１温度であるときに第１タイミングで加圧が開始される第１状態と、ブレーキオイルの温度が第２温度であるときに第２タイミングで加圧を開始する第２状態とを自動制動制御装置が備える。そして、第１温度は第２温度より低く、第１タイミングは第２タイミングより判断時に近くなるように、自動制動制御装置では補正開始時間が算出されればよい。
【０１１５】
・衝突予測時間が閾値以下である旨の判断のなされた時点が判断時として設定され、補正開始時間は、判断時からの経過時間として設定されてもよい。なお、この際に、補正開始時間算出処理では、残り時間が算出されるのではなく、判断時からの経過時間と補正開始時間とが比べられ、経過時間が補正開始時間に達するときに制御指令が出力されることが好ましい。
【０１１６】
・油圧ユニット１３は、インレット弁２３，２５、アウトレット弁２４，２６、比例電磁弁３２、及び加圧ポンプ２９を備える構成としたが、例えば、油圧回路２０よりも油圧発生部１２側に２つの比例電磁弁を備える構成等、適宜変更可能である。
【０１１７】
・自動制動時には、加圧ポンプ２９によって加圧されたブレーキオイルと、油圧発生部１２にて加圧されたブレーキオイルとの両方がブレーキに供給される構成でもよい。
・第１実施形態における自動制動制御装置では、オイル温度推定マップが用いられることなく、ブレーキオイルの温度が外気温から一義的に導出される算出式が用いられ、外気温がその算出式に適用されることによってブレーキオイルの温度が推定されてもよい。
【０１１８】
・第２実施形態における自動制動制御装置では、オイル温度推定マップが用いられることなく、ブレーキオイルの温度が空転時間から一義的に導出される算出式が用いられ、空転時間がその算出式に適用されることによってブレーキオイルの温度が推定されてもよい。
【０１１９】
・第２実施形態における自動制動制御装置では、エンコーダーＥ以外の回転検出センサー等によって、モーターＭの回転数を測定してもよい。あるいは、回転速度を直接検出することのできる回転検出センサーを用いてもよい。
【０１２０】
・第２実施形態における自動制動制御装置では、モーターＭの回転が開始されてから、モーターＭの回転数が所定の回数になるまでの時間が、ブレーキオイルの温度を推定するためのモーターＭの回転時間として設定されてもよい。
【０１２１】
・第２実施形態における自動制動制御装置では、ブレーキオイルが所定の圧力だけ高められるまでの時間が、ブレーキオイルの温度を推定するためのモーターＭの回転時間として設定されてもよい。この場合、例えば、吸入通路２８におけるインレット弁２３の出口に接続された通路との合流点よりも加圧ポンプ２９側に、ブレーキオイルの圧力を検出する油圧センサーを取り付ければよい。
【０１２２】
・第２実施形態における自動制動制御装置では、空転時間が計時されるときに、比例電磁弁３２、及び、各インレット弁２３，２５が開かれ、且つ、アウトレット弁２４，２６が閉じられる。これに限らず、例えば、空転時間が計時されるときに、比例電磁弁３２、インレット弁２５、及びアウトレット弁２６が閉じられ、且つ、インレット弁２３及びアウトレット弁２４が開かれてもよい。あるいは、空転時間が計時されるときに、比例電磁弁３２、インレット弁２３、及びアウトレット弁２４が閉じられ、且つ、インレット弁２５及びアウトレット弁２６が開かれてもよい。なお、ブレーキオイルの温度ごとの空転時間の差異は、空転時間が長くなるほど明確になる。それゆえに、ブレーキオイルの温度の推定に際し、その推定値の精度を高めるうえでは、これら２つの形態を比べた場合、循環経路を長くするべく、インレット弁２５とアウトレット弁２６とが開かれ、且つ、それ以外の電磁弁が閉じられることが好ましい。
【０１２３】
・相対速度と相対距離とが検出されるセンサーであれば、ミリ波レーダー５１に限らず、他のレーダーやセンサー等が用いられてもよい。要するに、自動制動制御装置における衝突予測時間算出部には、衝突予測時間を推定するための対象物の情報が入力され、当該情報を取得するためのセンサーや通信部等が車両に搭載される構成であればよい。
【０１２４】
・第２実施形態の自動制動制御装置は、温度推定処理をブレーキ制御装置６０で実行し、補正係数算出処理を制動制御装置４０で実行する。これを変更して、例えば、モーターＭの空転時間を計測する処理のみをブレーキ制御装置６０にて実行し、空転時間を用いたブレーキオイルの温度の推定、及び補正係数算出処理を制動制御装置４０で実行してもよい。この場合、温度推定処理のうち、ステップＳ３１とステップＳ３２との処理がブレーキ制御装置６０で実行され、ステップＳ３３とステップＳ３４との処理が制動制御装置４０で実行される。
【０１２５】
・本開示の自動制動制御装置は、補正係数算出処理と補正開始時間算出処理とを制動制御装置４０で実行する。これを変更して、例えば、補正係数算出処理は制動制御装置４０で実行され、また、補正開始時間算出処理のうち、ステップ２１からステップ２３までの処理は制動制御装置４０で実行される。そして、衝突予測時間が閾値以下である旨を示す信号が、制動制御装置４０からブレーキ制御装置６０に出力され、補正開始時間算出処理のうち、ステップ２４以降の処理はブレーキ制御装置６０で実行されてもよい。
【０１２６】
・あるいは、補正係数算出処理は、ブレーキ制御装置６０で実行されてもよい。この場合、第１実施形態におけるステップＳ１１からステップＳ１３までの処理がブレーキ制御装置６０で実行される。また、第２実施形態におけるステップＳ４１からステップＳ４３までの処理がブレーキ制御装置６０で実行される。
【０１２７】
・またあるいは、自動制動制御装置は、制動制御部４２の機能とブレーキ制御部６２の機能とを有する１つの制御部を含み、補正係数算出処理と補正開始時間算出処理とはその制御部で実行されてもよい。
【０１２８】
・本開示の自動制動制御装置は、大型自動車に限らず、普通自動車等に搭載されてもよい。
【符号の説明】
【０１２９】
１０…ブレーキ装置、１１…ブレーキペダル、１２…油圧発生部、１３…油圧ユニット、１４ＦＲ，１４ＦＬ，１４ＲＲ，１４ＲＬ…ブレーキ、２０…油圧回路、２１…左輪用通路、２１ａ…左輪用分岐通路、２２…右輪用通路、２２ａ…右輪用分岐通路、２３，２５…インレット弁、２４，２６…アウトレット弁、２７…リザーバー、２８…吸入通路、２９…加圧ポンプ、３１…連絡通路、３２…比例電磁弁、３３…並列通路、３４…チェック弁、３５…リターン通路、４０…制動制御装置、４１…制動用入出力部、４２…制動制御部、４３…制動用記憶部、５１…ミリ波レーダー、５２…外気温センサー、６０…ブレーキ制御装置、６１…ブレーキ用入出力部、６２…ブレーキ制御部、６３…ブレーキ用記憶部、６４…電磁弁駆動部、６５…モーター駆動部、６６…空転時間計測部、Ｅ…エンコーダー、ＦＲ，ＦＬ，ＲＲ，ＲＬ…車輪、Ｍ…モーター、Ｖ…車両、ＷＣａ，ＷＣｂ…ホイールシリンダー。
【図１】
0006000662.tif 000002
【図２】
0006000662.tif 000003
【図３】
0006000662.tif 000004
【図４】
0006000662.tif 000005
【図５】
0006000662.tif 000006
【図６】
0006000662.tif 000007
【図７】
0006000662.tif 000008
【図８】
0006000662.tif 000009
【図９】
0006000662.tif 000010
【図１０】
0006000662.tif 000011